(57)【要約】【課題】セキュリティを向上したＩＣカード発行システム及びＩＣカード更新発行方法を提供する。【解決手段】ＩＣチップを備えるＩＣカードを発行するＩＣカード発行システムにおいて、受付端末２に、ＩＣカードのＩＤ番号を取得するＩＤ読取部２１と、ＩＣチップ内のデータを読み出すのに必要なＰＩＮを入力するための入力部２４と、ＣＰＵ２６にＩＤ番号とＰＩＮとをホストコンピュータに送信させるＰＩＮ送信プログラム２８Ｂと、を備え、ホストコンピュータのＣＰＵに、送信されたＩＤ番号と対応付けて個人情報及びＰＩＮを個人情報データベースに記憶させる個人情報記憶プログラムを備え、発行装置のＣＰＵに、ＩＤ番号に基づいて個人情報データベースから個人情報とＰＩＮとを取得させ、当該個人情報とＰＩＮとをＩＣチップに書き込ませる書込プログラムと、を備えた。【選択図】図３
2007286958.tif 000002
【特許請求の範囲】
【請求項１】
ＩＣチップを備えるＩＣカードを発行するＩＣカード発行システムにおいて、
前記ＩＣカードの発行を受け付ける受付端末と、予め登録された個人情報と識別情報とを記憶する記憶手段を備えるホストコンピュータと、前記ＩＣカードを発行する発行装置と、を備え、
前記受付端末は、
ＩＣカードの識別情報を取得する識別情報取得手段と、
前記ＩＣチップ内のデータを読み出すのに必要な暗証情報を入力するための入力手段と、
前記識別情報と前記暗証情報とを前記ホストコンピュータに送信する送信手段と、
を備え、
前記ホストコンピュータは、
前記送信手段により送信された前記識別情報と対応付けて前記個人情報及び前記送信手段により送信された前記暗証情報を前記記憶手段に記憶させる記憶制御手段を備え、
前記発行装置は、
前記識別情報に基づいて前記ホストコンピュータの記憶手段から前記個人情報と前記暗証情報とを取得する取得手段と、
前記取得手段により取得した前記個人情報と前記暗証情報とを前記ＩＣチップに書き込む書込手段と、
を備えることを特徴とするＩＣカード発行システム。
【請求項２】
前記ＩＣカードの発行を申請する申請者を撮影して当該申請者の顔画像データを取得する撮影手段と、
前記撮影手段により取得された顔画像データと前記識別情報とを対応付ける対応付け手段と、
前記対応付け手段により対応付けられた前記顔画像データと前記識別情報とを前記ホストコンピュータに送信する顔画像データ送信手段と、
を備える撮影装置を備え、
前記記憶手段は、前記個人情報として前記対応付け手段により対応付けられた前記顔画像データと前記識別情報とを記憶し、
前記発行装置は、
前記顔画像データに基づく顔画像を前記ＩＣカードの券面に印刷する印刷手段と、
を備えることを特徴とする請求項１に記載のＩＣカード発行システム。
【請求項３】
前記ＩＣカードの交付時に、前記暗証情報を入力するための暗証情報入力手段と、
前記ＩＣカードの前記ＩＣチップ内に記憶されている暗証情報と前記暗証情報入力手段により入力された暗証情報とが一致するか否かを判断する照合手段と、
を備えることを特徴とする請求項１又は２に記載のＩＣカード発行システム。
【請求項４】
請求項１〜３のいずれか一項に記載のＩＣカード発行システムを用いてＩＣカードの更新発行を行うＩＣカード更新発行方法であって、
前記受付端末の前記識別情報取得手段により識別情報を取得し、
前記ＩＣチップ内のデータを読み出すのに必要な暗証情報を入力手段により入力し、
前記識別情報と前記暗証情報とを前記ホストコンピュータに送信手段により送信し、
次いで、前記ホストコンピュータの前記記憶制御手段により、前記送信手段により送信された前記識別情報と対応付けて前記個人情報及び前記送信手段により送信された前記暗証情報を前記記憶手段に記憶させ、
次いで、前記発行装置の前記取得手段により、前記識別情報に基づいて前記ホストコンピュータの前記記憶手段から前記個人情報と前記暗証情報とを取得し、
前記取得手段により取得した前記個人情報と前記暗証情報とを前記書込手段により前記ＩＣチップに書き込むことを特徴とするＩＣカード更新発行方法。
【発明の詳細な説明】
【技術分野】
【０００１】
本発明は、ＩＣカード発行システム及びＩＣカード更新発行方法にかかるものである。
【背景技術】
【０００２】
従来、社員証や各種免許証等のＩＤカードを発行する際には、申請者によって個人情報等が申請書等に記入され、当該申請書に記載された個人情報等をオペレータが入力することにより、ＩＤカードが発行されていた（例えば、特許文献１）。
ところで、近年、ＩＣチップが内蔵された社員証や各種免許証等のＩＣカードが知られている。ＩＣチップには、ＩＣカード所有者の個人情報等が記憶されるので、当該ＩＣカードには、通常、ＩＣチップ内の個人情報を読み出すための暗証番号が設定される。
【特許文献１】特開２０００−３１１２１３号公報
【発明の開示】
【発明が解決しようとする課題】
【０００３】
しかしながら、当該ＩＣチップ内蔵のＩＣカードの暗証番号を設定する場合、特許文献１のように、申請書に暗証番号も記入しなければならず、当該暗証番号が漏洩されてしまうという畏れがあり、セキュリティが低いという問題がある。
また、ＩＣカードの更新発行の際に暗証番号を変更したくとも容易に変更することができないという問題もある。
【０００４】
本発明の課題は、セキュリティを向上したＩＣカード発行システム及びＩＣカード更新発行方法を提供することである。
【課題を解決するための手段】
【０００５】
請求項１に記載の発明は、ＩＣチップを備えるＩＣカードを発行するＩＣカード発行システムにおいて、
前記ＩＣカードの発行を受け付ける受付端末と、予め登録された個人情報と識別情報とを記憶する記憶手段を備えるホストコンピュータと、前記ＩＣカードを発行する発行装置と、を備え、
前記受付端末は、
ＩＣカードの識別情報を取得する識別情報取得手段と、
前記ＩＣチップ内のデータを読み出すのに必要な暗証情報を入力するための入力手段と、
前記識別情報と前記暗証情報とを前記ホストコンピュータに送信する送信手段と、
を備え、
前記ホストコンピュータは、
前記送信手段により送信された前記識別情報と対応付けて前記個人情報及び前記送信手段により送信された前記暗証情報を前記記憶手段に記憶させる記憶制御手段を備え、
前記発行装置は、
前記識別情報に基づいて前記ホストコンピュータの記憶手段から前記個人情報と前記暗証情報とを取得する取得手段と、
前記取得手段により取得した前記個人情報と前記暗証情報とを前記ＩＣチップに書き込む書込手段と、
を備えることを特徴としている。
【０００６】
請求項２に記載の発明は、請求項１に記載のＩＣカード発行システムにおいて、
前記ＩＣカードの発行を申請する申請者を撮影して当該申請者の顔画像データを取得する撮影手段と、
前記撮影手段により取得された顔画像データと前記識別情報とを対応付ける対応付け手段と、
前記対応付け手段により対応付けられた前記顔画像データと前記識別情報とを前記ホストコンピュータに送信する顔画像データ送信手段と、
を備える撮影装置を備え、
前記記憶手段は、前記個人情報として前記対応付け手段により対応付けられた前記顔画像データと前記識別情報とを記憶し、
前記発行装置は、
前記顔画像データに基づく顔画像を前記ＩＣカードの券面に印刷する印刷手段と、
を備えることを特徴としている。
【０００７】
請求項３に記載の発明は、請求項１又は２に記載のＩＣカード発行システムにおいて、
前記ＩＣカードの交付時に、前記暗証情報を入力するための暗証情報入力手段と、
前記ＩＣカードの前記ＩＣチップ内に記憶されている暗証情報と前記暗証情報入力手段により入力された暗証情報とが一致するか否かを判断する照合手段と、
を備えることを特徴としている。
【０００８】
請求項４に記載の発明は、請求項１〜３のいずれか一項に記載のＩＣカード発行システムを用いてＩＣカードの更新発行を行うＩＣカード更新発行方法であって、
前記受付端末の前記識別情報取得手段により識別情報を取得し、
前記ＩＣチップ内のデータを読み出すのに必要な暗証情報を入力手段により入力し、
前記識別情報と前記暗証情報とを前記ホストコンピュータに送信手段により送信し、
次いで、前記ホストコンピュータの前記記憶制御手段により、前記送信手段により送信された前記識別情報と対応付けて前記個人情報及び前記送信手段により送信された前記暗証情報を前記記憶手段に記憶させ、
次いで、前記発行装置の前記取得手段により、前記識別情報に基づいて前記ホストコンピュータの前記記憶手段から前記個人情報と前記暗証情報とを取得し、
前記取得手段により取得した前記個人情報と前記暗証情報とを前記書込手段により前記ＩＣチップに書き込むことを特徴としている。
【発明の効果】
【０００９】
請求項１に記載の発明によれば、申請書に暗証情報を記入しなくても、ＩＣカードに暗証情報が設定されることとなって、暗証情報が漏洩する危険性を低減でき、セキュリティを向上することができる。
また、当該ＩＣカード発行システムにおいて、ＩＣカードの更新発行をする際にも、受付端末において暗証情報を新たに設定して入力することができ、容易に暗証情報を変更することができる。
【００１０】
請求項２に記載の発明によれば、請求項１と同様の効果が得られるのは勿論のこと、特に、当該ＩＣカードの受け渡し時に、例えば、オペレータが当該ＩＣカードの券面に印刷された顔画像と受取人の顔とを比較することにより本人確認を行うことができ、セキュリティをより向上することができる。
【００１１】
請求項３に記載の発明によれば、請求項１又は２と同様の効果が得られるのは勿論のこと、特に、暗証情報により、受取人が本人であるか否かを確認することができ、さらにセキュリティを向上させることができる。
【００１２】
請求項４に記載の発明によれば、申請書に暗証情報を記入しなくても、ＩＣカードに暗証情報が設定されることとなって、暗証情報が漏洩する危険性を低減でき、セキュリティを向上することができる。
また、当該ＩＣカード発行システムにおいて、ＩＣカードの更新発行をする際にも、受付端末において暗証情報を新たに設定して入力することができ、容易に暗証情報を変更することができる。
【発明を実施するための最良の形態】
【００１３】
以下、図面を参照して本発明の最良の形態について詳細に説明する。ただし、発明の範囲は、図示例に限定されない。また、限定的な表現をする場合があるが、これに限られるものではない。
【００１４】
本発明に係るＩＣカード発行システム１００は、例えば、図１に示すように、ホストコンピュータ１，ＩＣカードの発行及び更新発行を受け付ける受付端末２,ＩＣカードの発行及び更新発行を申請する申請者を撮影する撮影装置３,ＩＣカードを発行する発行装置４，発行装置４により発行されたＩＣカードに対して所有者（申請者）により入力された暗証情報としての暗証番号を設定する暗証番号入力装置５等を備えている。ここで、暗証番号とは、ＩＣカードのＩＣチップ内のデータを読み出すのに必要な暗証番号であり、以下、ＰＩＮと称する。
また、ホストコンピュータ１，受付端末２，撮影装置３，発行装置４，暗証番号入力装置５等は、例えば、ＬＡＮ（Local  Area  Network）やＷＡＮ（Wide  Area  Network）等の通信回線を介して通信可能に接続されている。
【００１５】
ホストコンピュータ１は、例えば、図２に示すように、通信部１１，入力部１２，ＣＰＵ（Central  Processing  Unit）１３，ＲＡＭ（Random  Access  Memory）１４，記憶部１５，個人情報データベース１６等を備えている。
【００１６】
通信部１１は、例えば、ホストコンピュータ１とＩＣカード発行システム１００内の他の装置との間の通信を行う。
【００１７】
入力部１２は、例えば、マウスや各種の操作キーによって構成されるキーボード等を備え、当該マウスやキーボード等のオペレータによる操作に基づいて、各種の操作信号をＣＰＵ１３に出力する。
【００１８】
ＣＰＵ１３は、例えば、記憶部１５に格納された処理プログラム等を読み出して、ＲＡＭ１４に展開して実行することにより、ホストコンピュータ１全体の制御を行う。
【００１９】
ＲＡＭ１４は、例えば、ＣＰＵ１３により実行された処理プログラム等を、ＲＡＭ１４内のプログラム格納領域に展開するとともに、入力データや上記処理プログラムが実行される際に生じる処理結果等をデータ格納領域に格納する。
【００２０】
記憶部１５は、例えば、プログラムやデータ等が予め記憶されている記録媒体（図示せず）を有しており、この記録媒体は、例えば、半導体メモリ等で構成されている。また、記憶部１５は、ＣＰＵ１３がホストコンピュータ１全体を制御する機能を実現させるための各種データ，各種処理プログラム，これらプログラムの実行により処理されたデータ等を記憶する。より具体的には、記憶部１５は、例えば、図２に示すように、個人情報記憶プログラム１５Ａ，個人情報送信プログラム１５Ｂ等を格納している。
【００２１】
個人情報記憶プログラム１５Ａは、例えば、ＣＰＵ１３に、受付端末２から送信された識別情報としてのＩＤ番号と対応づけて個人情報及び受付端末２から送信されたＰＩＮを個人情報データベース１６に記憶させる機能を実現させるプログラムである。ＣＰＵ１３は、かかる個人情報記憶プログラム１５Ａを実行することにより、記憶制御手段として機能する。
【００２２】
個人情報送信プログラム１５Ｂは、例えば、ＣＰＵ１３に、発行装置４からあるＩＤ番号の個人情報の要求信号を受信した場合に、当該ＩＤ番号に対応する個人情報及びＰＩＮを個人情報データベース１６から抽出し、通信部１１を制御して当該個人情報及びＰＩＮを発行装置４に送信させる機能を実現させるプログラムである。
【００２３】
個人情報データベース１６は、例えば、個人情報と、ＩＤ番号とを対応づけて記憶し、記憶手段として機能する。個人情報及びＩＤ番号は、例えば、申請者により申請書に記入され、オペレータが受付端末２の入力部２４を操作することにより入力され、当該受付端末２から送信され、個人情報データベース１６に予め登録されている。また、個人情報には、撮影装置３から送信される顔画像データも含まれる。
【００２４】
受付端末２は、例えば、図３に示すように、ＩＤ読取部２１，通信部２２，表示部２３，入力部２４，プリンタ２５，ＣＰＵ２６，ＲＡＭ２７，記憶部２８等を備えている。
【００２５】
ＩＤ読取部２１は、例えば、バーコードリーダや、スキャナ、光学式文字読取装置（ＯＣＲ装置）、磁気読取装置等を備えて構成され、ＩＣカードの更新発行を申請する申請者によりＩＣカードが挿入される挿入口（図示省略）等を備え、ＩＣカードの券面に印刷されているＩＤ番号等を読み取り、識別情報取得手段として機能する。
ここで、新規にＩＣカードの発行を申請する申請者のＩＤ番号は、受付端末２において、自動的に設定されるようになっている。
【００２６】
通信部２２は、例えば、受付端末２とＩＣカード発行システム１００内の他の装置との間の通信を行う。
【００２７】
表示部２３は、例えば、ＣＰＵ２６から入力される制御信号に従って、各種の表示を行う。より具体的には、表示部２３は、ＣＰＵ２６が後述するＰＩＮ送信プログラム２８Ｂを実行することにより制御されて、「ＰＩＮを入力してください」との表示，入力されたＰＩＮ等の表示を行う。
【００２８】
入力部２４は、例えば、マウスや各種の操作キーによって構成されるキーボード等を備え、当該マウスやキーボード等の申請者による操作に基づいて、各種の操作信号をＣＰＵ２６に出力する。より具体的には、申請者によって入力されたＰＩＮをＣＰＵ２６に出力する。これにより、入力部２４は、入力手段として機能する。
【００２９】
プリンタ２５は、例えば、ＣＰＵ２６が後述する申請書発行プログラム２８Ａを実行することにより制御されて、ＩＤ番号等が印字された申請書をプリントする。
【００３０】
ＣＰＵ２６は、例えば、記憶部２８に格納された処理プログラム等を読み出して、ＲＡＭ２７に展開して実行することにより、受付端末２全体の制御を行う。
【００３１】
ＲＡＭ２７は、例えば、ＣＰＵ２６により実行された処理プログラム等を、ＲＡＭ２７内のプログラム格納領域に展開するとともに、入力データや上記処理プログラムが実行される際に生じる処理結果等をデータ格納領域に格納する。
【００３２】
記憶部２８は、例えば、プログラムやデータ等が予め記憶されている記録媒体（図示せず）を有しており、この記録媒体は、例えば、半導体メモリ等で構成されている。また、記憶部２８は、ＣＰＵ２６が受付端末２全体を制御する機能を実現させるための各種データ，各種処理プログラム，これらプログラムの実行により処理されたデータ等を記憶する。より具体的には、記憶部２８は、例えば、図３に示すように、申請書発行プログラム２８Ａ，ＰＩＮ送信プログラム２８Ｂ等を格納している。
【００３３】
申請書発行プログラム２８Ａは、例えば、ＣＰＵ２６に、プリンタ２５を制御して、ＩＤ読取部２１により読み取られたＩＤ番号が印字された申請書をプリントさせる機能を実現させるプログラムである。また、申請書発行プログラム２８Ａは、例えば、ＣＰＵ２６に、新規にＩＣカードを発行する場合には、ＩＤ番号を自動設定し、プリンタ２５を制御して、当該ＩＤ番号が印字された申請書をプリントさせる機能を実現させるプログラムである。
【００３４】
ＰＩＮ送信プログラム２８Ｂは、例えば、ＣＰＵ２６に、表示部２３を制御して、「ＰＩＮを入力してください」との表示，入力されたＰＩＮ等を表示させ、通信部２２を制御することにより、ＩＤ読取部２１により取得されたＩＤ番号と、申請者により入力部２４から入力されたＰＩＮとをホストコンピュータ１に送信させる機能を実現させるプログラムである。ＣＰＵ２６は、かかるＰＩＮ送信プログラム２８Ｂを実行することにより送信手段として機能する。
【００３５】
撮影装置３は、例えば、図４に示すように、通信部３１，ＩＤ読取部３２，撮影部３３，ＣＰＵ３４，ＲＡＭ３５，記憶部３６等を備えている。
【００３６】
通信部３１は、例えば、撮影装置３とＩＣカード発行システム１００内の他の装置との間の通信を行う。
【００３７】
ＩＤ読取部３２は、例えば、バーコードリーダや、スキャナ、光学式文字読取装置（ＯＣＲ装置）、磁気読取装置等を備えて構成され、申請書を挿入するための挿入口（図示省略）等を備え、申請書に印字されているＩＤ番号を読み取る。
【００３８】
撮影部３３は、例えば、デジタルカメラ（図示省略）等を備えて構成され、申請者を撮影して、当該申請者の顔画像データを取得し、撮影手段の一部として機能する。
【００３９】
ＣＰＵ３４は、例えば、記憶部３６に格納された処理プログラム等を読み出して、ＲＡＭ３５に展開して実行することにより、撮影装置３全体の制御を行う。
【００４０】
ＲＡＭ３５は、例えば、ＣＰＵ３４により実行された処理プログラム等を、ＲＡＭ３５内のプログラム格納領域に展開するとともに、入力データや上記処理プログラムが実行される際に生じる処理結果等をデータ格納領域に格納する。
【００４１】
記憶部３６は、例えば、プログラムやデータ等が予め記憶されている記録媒体（図示せず）を有しており、この記録媒体は、例えば、半導体メモリ等で構成されている。また、記憶部３６は、ＣＰＵ３４が撮影装置３全体を制御する機能を実現させるための各種データ，各種処理プログラム，これらプログラムの実行により処理されたデータ等を記憶する。より具体的には、記憶部３６は、例えば、図４に示すように、撮影プログラム３６Ａ，データ対応付けプログラム３６Ｂ，画像送信プログラム３６Ｃ等を格納している。
【００４２】
撮影プログラム３６Ａは、例えば、ＣＰＵ３４に、撮影部３３を制御して、申請者を撮影させ、当該申請者の顔画像データを取得する機能を実現させるプログラムである。ＣＰＵ３４は、かかる撮影プログラム３６Ａを実行することにより、撮影手段の一部として機能する。
【００４３】
データ対応付けプログラム３６Ｂは、例えば、ＣＰＵ３４に、撮影プログラム３６Ａを実行することにより取得した申請者の顔画像データと当該申請者ＩＤ番号とを対応付ける機能を実現させるプログラムである。より具体的には、データ対応付けプログラム３６Ｂは、ＣＰＵ３４に、撮影部３３により取得された顔画像データとＩＤ読取部３２により申請書から読み取られたＩＤ番号とを対応付ける機能を実現させるプログラムである。ＣＰＵ３４は、かかるデータ対応付けプログラム３６Ｂを実行することにより、対応付け手段として機能する。
【００４４】
画像送信プログラム３６Ｃは、例えば、ＣＰＵ３４に、通信部３１を制御して、撮影部３３によって取得された顔画像データとＩＤ番号とをホストコンピュータ１に送信させる機能を実現させるプログラムである。ＣＰＵ３４は、かかる画像送信プログラム３６Ｃを実行することにより、顔画像データ送信手段として機能する。
【００４５】
発行装置４は、例えば、図５に示すように、通信部４１，ＩＣリーダライタ４２，プリンタ４３，ＣＰＵ４４，ＲＡＭ４５，記憶部４６等を備えている。
【００４６】
通信部４１は、例えば、発行装置４とＩＣカード発行システム１００内の他の装置との間の通信を行う。
【００４７】
ＩＣリーダライタ４２は、例えば、ＣＰＵ４４からの制御信号に従って、ＩＣカードのＩＣチップと電磁誘導波を用いて非接触方式により通信して、ファイルを作成したり、当該ファイルに対して読出処理，書込処理，変更処理等の所定の処理を行う。より具体的には、ＩＣリーダライタ４２は、例えば、当該ＩＣチップ内にＩＤ番号と個人情報及びＰＩＮとを対応づけて記憶させる。
【００４８】
プリンタ４３は、例えば、ＣＰＵ４４からの印刷指示に従って、ＩＣカードのカード表面にＩＣカード番号や申請者（所有者）の顔画像を印刷し、印刷手段の一部として機能する。
【００４９】
ＣＰＵ４４は、例えば、記憶部４６に格納された処理プログラム等を読み出して、ＲＡＭ４５に展開して実行することにより、発行装置４全体の制御を行う。
【００５０】
ＲＡＭ４５は、例えば、ＣＰＵ４４により実行された処理プログラム等を、ＲＡＭ４５内のプログラム格納領域に展開するとともに、入力データや上記処理プログラムが実行される際に生じる処理結果等をデータ格納領域に格納する。
【００５１】
記憶部４６は、例えば、プログラムやデータ等が予め記憶されている記録媒体（図示せず）を有しており、この記録媒体は、例えば、半導体メモリ等で構成されている。また、記憶部４６は、ＣＰＵ４４が発行装置４全体を制御する機能を実現させるための各種データ，各種処理プログラム，これらプログラムの実行により処理されたデータ等を記憶する。より具体的には、記憶部４６は、例えば、図５に示すように、書込プログラム４６Ａ，プリントプログラム４６Ｂ等を格納している。
【００５２】
書込プログラム４６Ａは、例えば、ＣＰＵ４４に、通信部４１を制御して、ＩＤ番号と当該ＩＤ番号に対応する個人情報及びＰＩＮの要求信号をホストコンピュータ１に送信させ、ホストコンピュータ１の個人情報データベース１６から当該ＩＤ番号に対応する個人情報及びＰＩＮを取得し、当該個人情報とＰＩＮとをＩＣチップに書き込む機能を実現させるプログラムである。ＣＰＵ４４は、かかる書込プログラム４６Ａを実行することにより、取得手段，書込手段として機能する。
【００５３】
プリントプログラム４６Ｂは、例えば、ＣＰＵ４４に、プリンタ４３を制御して、書込プログラム４６Ａを実行することにより取得した個人情報内の顔画像データに基づく顔画像をＩＣカードの券面に印刷させる機能を実現させるプログラムである。ＣＰＵ４４は、かかるプリントプログラム４６Ｂを実行することにより、印刷手段の一部として機能する。
【００５４】
暗証番号入力装置５は、例えば、図６に示すように、ＰＩＮ入力部５１，ＩＤ読取部５２，ＣＰＵ５３，ＲＡＭ５４，記憶部５５等を備えている。
【００５５】
ＰＩＮ入力部５１は、例えば、０〜９の数字キー及びデフォルトキー等を備えて構成され、申請者により操作されることにより、ＰＩＮをＣＰＵ５３に出力し、暗証情報入力手段として機能する。
【００５６】
ＩＤ読取部５２は、例えば、バーコードリーダや、スキャナ、光学式文字読取装置（ＯＣＲ装置）、磁気読取装置等を備えて構成され、申請者によりＩＣカードが挿入される挿入口（図示省略）等を備え、ＩＣカードの券面に印刷されているＩＤ番号等を読み取る。
【００５７】
ＣＰＵ５３は、例えば、記憶部５５に格納された処理プログラム等を読み出して、ＲＡＭ５４に展開して実行することにより、暗証番号入力装置５全体の制御を行う。
【００５８】
ＲＡＭ５４は、例えば、ＣＰＵ５３により実行された処理プログラム等を、ＲＡＭ５４内のプログラム格納領域に展開するとともに、入力データや上記処理プログラムが実行される際に生じる処理結果等をデータ格納領域に格納する。
【００５９】
記憶部５５は、例えば、プログラムやデータ等が予め記憶されている記録媒体（図示せず）を有しており、この記録媒体は、例えば、半導体メモリ等で構成されている。また、記憶部５５は、ＣＰＵ５３が暗証番号入力装置５全体を制御する機能を実現させるための各種データ，各種処理プログラム，これらプログラムの実行により処理されたデータ等を記憶する。より具体的には、記憶部５５は、例えば、図６に示すように、ＰＩＮ照合プログラム５５Ａ等を格納している。
【００６０】
ＰＩＮ照合プログラム５５Ａは、例えば、ＣＰＵ５３に、ＩＣチップ内に記憶されているＰＩＮとＰＩＮ入力部５１から入力されたＰＩＮとが一致するか否かを判断する機能を実現させるプログラムである。ＣＰＵ５３は、かかるＰＩＮ照合プログラム５５Ａを実行することにより、照合手段として機能する。
【００６１】
次に、上述のような構成のＩＣカード発行システム１００における受付動作の一例を図７に示すフローチャートを参照しながら説明する。なお、本実施形態においては、ＩＣカードの更新発行の場合を例に挙げて説明する。
【００６２】
まず、受付端末２において、ＩＤ読取部２１に、ＩＣカードが挿入されると（ステップＳ１）、ＩＤ読取部２１によりＩＣカード券面上に印刷されているＩＤ番号が読み取られ、ＣＰＵ２６に出力される（ステップＳ２）。
【００６３】
次に、ＣＰＵ２６は、ＰＩＮ送信プログラム２８Ｂを実行することにより、表示部２３を制御して、「ＰＩＮを入力してください」との表示させ、入力部２４からＰＩＮが入力される（ステップＳ３）。
【００６４】
次に、ＣＰＵ２６は、申請書発行プログラム２８Ａを実行することにより、プリンタ２５を制御して、ＩＤ番号が印字された申請書をプリントさせる（ステップＳ４）。
【００６５】
次に、ＣＰＵ２６は、ＰＩＮ送信プログラム２８Ｂの実行に基づいて、通信部２２を制御することにより、ＩＤ読取部２１により取得されたＩＤ番号と、申請者により入力部２４から入力されたＰＩＮとをホストコンピュータ１に送信させる（ステップＳ５）。
【００６６】
次に、ホストコンピュータ１が、受付端末２から送信されたＩＤ番号とＰＩＮとを受信すると（ステップＳ６）、ＣＰＵ１３は、個人情報記憶プログラム１５Ａを実行することにより、当該ＩＤ番号とＰＩＮとを対応づけて個人情報データベース１６に記憶させる（ステップＳ７）。
【００６７】
次に、本発明に係るＩＣカード発行システム１００における撮影動作の一例を図８に示すフローチャートを参照しながら説明する。
【００６８】
まず、撮影装置３において、申請書がＩＤ読取部３２に挿入され、ＩＤ読取部３２により、ＩＤ番号が読み取られる（ステップＳ１０１）。
【００６９】
次に、ＣＰＵ３４は、撮影プログラム３６Ａを実行することにより、撮影部３３を制御して、申請者を撮影させ、当該申請者の顔画像データを取得する（ステップＳ１０２）。
【００７０】
次に、ＣＰＵ３４は、データ対応付けプログラム３６Ｂを実行することにより、ステップＳ１０２で取得した顔画像データと当該申請者のＩＤ番号とを対応付ける（ステップＳ１０３）。
【００７１】
次に、ＣＰＵ３４は、画像送信プログラム３６Ｃを実行することにより、通信部３１を制御して、ステップＳ１０３において対応付けた顔画像データとＩＤ番号とをホストコンピュータ１に送信させる（ステップＳ１０４）。
【００７２】
次に、ホストコンピュータ１が、撮影装置３から送信されたＩＤ番号と顔画像データとを受信すると（ステップＳ１０５）、ＣＰＵ１３は、個人情報記憶プログラム１５Ａを実行することにより、ステップＳ１０３において対応付けられた当該ＩＤ番号と顔画像データとを個人情報データベース１６に記憶させる（ステップＳ１０６）。
【００７３】
次に、本発明に係るＩＣカード発行システム１００における発行動作の一例を図９に示すフローチャートを参照しながら説明する。
【００７４】
まず、発行装置４において、ＣＰＵ４４は、書込プログラム４６Ａを実行することにより、通信部４１を制御して、ＩＤ番号と当該ＩＤ番号に対応する個人情報及びＰＩＮの要求信号をホストコンピュータ１に送信する（ステップＳ２０１）。
【００７５】
次に、ホストコンピュータ１が、発行装置４から送信されたＩＤ番号と当該ＩＤ番号に対応する個人情報及びＰＩＮの要求信号を受信すると（ステップＳ２０２）、ＣＰＵ１３は、個人情報送信プログラム１５Ｂを実行することにより、当該ＩＤ番号に対応する個人情報及びＰＩＮを個人情報データベース１６から抽出し、通信部１１を制御して当該個人情報及びＰＩＮを発行装置４に送信させる（ステップＳ２０３）。
【００７６】
次に、発行装置４が、ホストコンピュータ１から送信された当該ＩＤ番号に対応する個人情報及びＰＩＮを受信すると（ステップＳ２０４）、ＣＰＵ４４は、当該ＩＤ番号と対応づけて、当該個人情報とＰＩＮとをＩＣチップに書き込む（ステップＳ２０５）。
【００７７】
次に、ＣＰＵ４４は、プリントプログラム４６Ｂを実行することにより、プリンタ４３を制御して、書込プログラム４６Ａを実行することにより取得した個人情報内の顔画像データに基づく顔画像をＩＣカードの券面に印刷させる（ステップＳ２０６）。
【００７８】
次に、本発明に係るＩＣカード発行システム１００における交付動作の一例を図１０に示すフローチャートを参照しながら説明する。
【００７９】
まず、暗証番号入力装置５において、ＰＩＮ入力部５１からＰＩＮが入力されると（ステップＳ３０１）、ＣＰＵ５３は、ＰＩＮ照合プログラム５５Ａを実行することにより、ＩＣチップ内に記憶されているＰＩＮとＰＩＮ入力部５１から入力されたＰＩＮとが一致するか否かを判断する（ステップＳ３０２）。
【００８０】
ステップＳ３０２において、ＣＰＵ５３が、ＩＣチップ内に記憶されているＰＩＮとＰＩＮ入力部５１から入力されたＰＩＮとが一致しないと判断した場合には（ステップＳ３０２；Ｎｏ）、ＩＣカードの交付を行わずに本処理を終了する。
ステップＳ３０２において、ＣＰＵ５３が、ＩＣチップ内に記憶されているＰＩＮとＰＩＮ入力部５１から入力されたＰＩＮとが一致すると判断した場合には（ステップＳ３０２；Ｙｅｓ）、オペレータにより、ＩＣカードの券面に印刷されている顔画像と受取人（申請者）の顔とが比較されて本人確認が行われ（ステップＳ３０３）、本人である場合にＩＣカードの交付がなされる（ステップＳ３０４）。
【００８１】
以上に説明した、本実施形態に係るＩＣカード発行システム１００及びＩＣカード更新発行方法によれば、受付端末２において、ＩＤ読取部２１により、ＩＣカードのＩＤ番号が取得され、入力部２４により、ＩＣチップ内のデータを読み出すのに必要なＰＩＮが入力され、ＣＰＵ２６がＰＩＮ送信プログラム２８Ｂを実行することにより、ＩＤ番号とＰＩＮとがホストコンピュータ１に送信され、ホストコンピュータ１において、ＣＰＵ１３が個人情報記憶プログラム１５Ａを実行することにより、送信されたＩＤ番号と対応付けて個人情報及びＰＩＮを個人情報データベース１６に記憶させ、発行装置４において、ＣＰＵ４４が書込プログラム４６Ａを実行することにより、ＩＤ番号に基づいてホストコンピュータ１の個人情報データベース１６から個人情報とＰＩＮとが取得され、取得した個人情報とＰＩＮとがＩＣチップに書き込まれるので、申請書にＰＩＮを記入しなくても、ＩＣカードにＰＩＮが設定されることとなって、ＰＩＮが漏洩する危険性を低減でき、セキュリティを向上することができる。
また、当該ＩＣカード発行システム１００において、ＩＣカードの更新発行をする際にも、受付端末２においてＰＩＮを新たに設定して入力することができ、容易にＰＩＮを変更することができる。
【００８２】
また、撮影装置３において、ＣＰＵ３４が撮影プログラム３６Ａを実行することにより、撮影部３３が制御されて、ＩＣカードの発行を申請する申請者が撮影されて当該申請者の顔画像データが取得され、ＣＰＵ３４がデータ対応付けプログラム３４Ｂを実行することにより、当該顔画像データと当該申請者のＩＤ番号とが対応付けられ、ＣＰＵ３４が画像送信プログラム３６Ｃを実行することにより、対応付けられた当該顔画像データとＩＤ番号とがホストコンピュータ１に送信され、個人情報データベース１６は、個人情報として対応付けられた顔画像データとＩＤ番号とを記憶し、発行装置４において、ＣＰＵ４４がプリントプログラム４６Ｂを実行することにより、プリンタ４３が制御されて、顔画像データに基づく顔画像がＩＣカードの券面に印刷されるので、当該ＩＣカードの受け渡し時に、例えば、オペレータが当該ＩＣカードの券面に印刷された顔画像と受取人の顔とを比較することにより本人確認を行うことができ、セキュリティをより向上することができる。
【００８３】
また、ＩＣカードの交付時に、暗証番号入力装置５において、ＰＩＮ入力部５１により、ＰＩＮが入力され、ＣＰＵ５３がＰＩＮ照合プログラム５５Ａを実行することにより、ＩＣカードのＩＣチップ内に記憶されているＰＩＮとＰＩＮ入力部５１によって入力されたＰＩＮとが一致するか否かが判断されるので、ＰＩＮにより、受取人が本人であるか否かを確認することができ、さらにセキュリティを向上させることができる。
【００８４】
なお、暗証番号入力装置５に、受取人の顔画像を撮影する撮影手段と、当該撮影手段により取得される顔画像データとＩＣカードのＩＣチップに記憶された顔画像データとを比較する比較手段とが設けられて、当該比較手段により本人確認が行われるように構成してもよい。
【図面の簡単な説明】
【００８５】
【図１】本発明に係るＩＣカード発行システムの概略構成図である。
【図２】本発明に係るホストコンピュータの内部構成を示すブロック図である。
【図３】本発明に係る受付端末の内部構成を示すブロック図である。
【図４】本発明に係る撮影装置の内部構成を示すブロック図である。
【図５】本発明に係る発行装置の内部構成を示すブロック図である。
【図６】本発明に係る暗証番号入力装置の内部構成を示すブロック図である。
【図７】本発明に係るＩＣカード発行システムにおける受付動作の一例を説明するフローチャートである。
【図８】本発明に係るＩＣカード発行システムにおける撮影動作の一例を説明するフローチャートである。
【図９】本発明に係るＩＣカード発行システムにおける発行動作の一例を説明するフローチャートである。
【図１０】本発明に係るＩＣカード発行システムにおける交付動作の一例を説明するフローチャートである。
【符号の説明】
【００８６】
１  ホストコンピュータ
１３  ＣＰＵ（記憶制御手段）
１６  個人情報データベース（記憶手段）
１５Ａ  個人情報記憶プログラム（記憶制御手段）
２  受付端末
２１  ＩＤ読取部（識別情報取得手段）
２４  入力部（入力手段）
２６  ＣＰＵ（送信手段）
２８Ｂ  ＰＩＮ送信プログラム（送信手段）
３  撮影装置
３３  撮影部（撮影手段）
３４  ＣＰＵ（撮影手段，対応付け手段，顔画像データ送信手段）
３６Ａ  撮影プログラム（撮影手段）
３６Ｂ  データ対応付けプログラム（対応付け手段）
３６Ｃ  画像送信プログラム（顔画像データ送信手段）
４  発行装置
４３  プリンタ（印刷手段）
４４  ＣＰＵ（取得手段，書込手段，印刷手段）
４６Ａ  書込プログラム（取得手段，書込手段）
４６Ｂ  プリントプログラム（印刷手段）
５１  ＰＩＮ入力部（暗証情報入力手段）
５３  ＣＰＵ（照合手段）
５５Ａ  ＰＩＮ照合プログラム（照合手段）
【図１】
2007286958.tif 000003
【図２】
2007286958.tif 000004
【図３】
2007286958.tif 000005
【図４】
2007286958.tif 000006
【図５】
2007286958.tif 000007
【図６】
2007286958.tif 000008
【図７】
2007286958.tif 000009
【図８】
2007286958.tif 000010
【図９】
2007286958.tif 000011
【図１０】
2007286958.tif 000012